(57)【要約】      （修正有）【課題】足を健康に維持可能な健康用具において、足の甲部の足根中足関節を刺激することにより、姿勢を矯正したり、足の疲労感を取り除くことができ、さらに、外反母趾や浮き指の予防・改善を図ることにある。【解決手段】健康用具（１）は、少なくとも足の甲部の足根中足関節を刺激可能な刺激部材（４Ｒ・４Ｌ）を備える。【選択図】図１
2017221482.tif 000002
【特許請求の範囲】
【請求項１】
足を健康に維持可能な健康用具において、少なくとも前記足の甲部の足根中足関節を刺激可能な刺激部材を備えることを特徴とする健康用具。
【請求項２】
足を健康に維持可能な健康用具において、前記足の足裏に倣った形状の台材と前記台材に取り付けられる刺激部材とを備え、前記刺激部材は、少なくとも前記足の甲部の足根中足関節を刺激するように、一端部が前記台材の先端部位に取り付けられるとともに他端部が前記台材の後端部位に取り付けられたことを特徴とする健康用具。
【請求項３】
前記台材の長手方向に延びる中心線に対して短手方向で対称に構成されたことを特徴とする請求項２に記載の健康用具。
【発明の詳細な説明】
【技術分野】
【０００１】
この発明は、健康用具に係り、特に足の甲部の足根中足関節（リスフラン関節）等を刺激する健康用具に関する。
【背景技術】
【０００２】
従来、健康用具として、例えば、足のねじれ矯正用靴下において、足に靴下を装着したときに、外反母趾の出っ張った親指のつけ根中足関節部に当接する部分及び第５中足骨基底部に当接する部分を他の部分よりも弾性力が強い環体で形成したねじれ矯正用靴下、及び外反母趾の出っ張った親指のつけ根部分及び第５中足骨基底部に当接する部分に押圧部材又は補強部材を形成することにより、足裏全体のねじれを矯正するものがある。
【先行技術文献】
【特許文献】
【０００３】
【特許文献１】特開２０００−３２８３０４号公報
【発明の概要】
【発明が解決しようとする課題】
【０００４】
ところが、上記の特許文献１では、親指のつけ根中足関節部及び第５中足骨基底部の部分を刺激しているだけであり、足の疲労感等に効き目が有るとされている足根中足関節（リスフラン関節）等を刺激することができず、このため、姿勢を矯正したり、足の疲労感を取り除くことができず、改善が望まれていた。
【０００５】
そこで、この発明は、姿勢を矯正したり、足の疲労感を取り除くことができ、さらに、外反母趾や浮き指の予防・改善を図ることができる健康用具を提供することを目的とする。
【課題を解決するための手段】
【０００６】
この発明は、足を健康に維持可能な健康用具において、少なくとも前記足の甲部の足根中足関節を刺激可能な刺激部材を備えることを特徴とする。
【発明の効果】
【０００７】
この発明は、刺激部材が足の甲部の足根中足関節（リスフラン関節）等を刺激することから、姿勢を矯正したり、足の疲労感を取り除くことができ、さらに、外反母趾や浮き指の予防・改善を図ることができる。
【図面の簡単な説明】
【０００８】
【図１】図１（Ａ）は健康用具の右側本体の平面図である。図１（Ｂ）は健康用具の左側本体の平面図である。（実施例１）
【図２】図２は右側本体の右側面図である。（実施例１）
【図３】図３は左側本体の左側面図である。（実施例１）
【図４】図４（Ａ）は右側台材の平面図である。図４（Ｂ）は左側台材の平面図である。（実施例１）
【図５】図５（Ａ）は右側刺激部材の内方鼻緒の平面図である。図５（Ｂ）は右側刺激部材の内方鼻緒の側面図である。（実施例１）
【図６】図６（Ａ）は右側刺激部材の外方鼻緒の平面図である。図６（Ｂ）は右側刺激部材の外方鼻緒の側面図である。（実施例１）
【図７】図７（Ａ）は右側支持ベルトの平面図である。図７（Ｂ）は右側支持ベルトの側面図である。（実施例１）
【図８】図８（Ａ）は左側刺激部材の内方鼻緒の平面図である。図８（Ｂ）は左側刺激部材の内方鼻緒の側面図である。（実施例１）
【図９】図９（Ａ）は左側刺激部材の外方鼻緒の平面図である。図９（Ｂ）は左側刺激部材の外方鼻緒の側面図である。（実施例１）
【図１０】図１０（Ａ）は左側支持ベルトの平面図である。図１０（Ｂ）は左側支持ベルトの側面図である。（実施例１）
【図１１】図１１は健康用具の使用状態の概略平面図である。（実施例１）
【図１２】図１２は台材の長手方向に延びる中心線に対して短手方向で対称に構成された健康用具の平面図である。（実施例２）
【図１３】図１３は台材が省略されて刺激部材のみからなる健康用具の使用状態の概略平面図である。（実施例３）
【図１４】図１４は刺激部材が予め組み込まれた靴下の平面図である。（実施例４）
【図１５】図１５は親指と人差指との間以外の他の指の間で使用可能な健康用具の概略平面図である。（実施例５）
【発明を実施するための形態】
【０００９】
この発明は、姿勢を矯正したり、足の疲労感を取り除くことができ、さらに、外反母趾や浮き指の予防・改善を図る目的を、足の甲部の足根中足関節（リスフラン関節）等を刺激する刺激部材を備えて実現するものである。
【実施例１】
【００１０】
図１〜図１１は、この発明の実施例１を示すものである。
図１に示すように、健康用具１は、人の足の健康を維持可能なものであって、一対の右側本体２Ｒ・左側本体２Ｌを備える。右側本体２Ｒ・左側本体２Ｌは、図１１に示すように、右足ＦＲ・左足ＦＬに装着して使用される。
図１（Ａ）に示すように、右側本体２Ｒは、例えば、一般的な大人の右足ＦＲの足裏の前側半分程度の外郭に倣った形状であって、且つ平面視で右足ＦＲの足裏の前側半分程度の外郭よりも一回り程度小さく形成された右側台材３Ｒと、右側台材３Ｒに取り付けられた右側刺激部材４Ｒ及び右側支持ベルト５Ｒとを備える。
図１（Ｂ）に示すように、左側本体２Ｌは、例えば、一般的な大人の左足ＦＬの足裏の前側半分程度の外郭に倣った形状であって、且つ平面視で左足ＦＬの足裏の前側半分程度の外郭よりも一回り程度小さく形成された左側台材３Ｌと、左側台材３Ｌに取り付けられた左側刺激部材４Ｌ及び左側支持ベルト５Ｌとを備える。
【００１１】
図２、図４（Ａ）に示すように、右側台材３Ｒは、右足ＦＲの足裏の前側半分程度の外郭に倣った形状であって、長手方向Ｘにおいて先端部位６Ｒと後端部位７Ｒとを備え、厚さＴ１、短手方向Ｙが幅Ｗ１、長手方向Ｘが長さＭ１に形成される。右側台材３Ｒの長手方向Ｘの長さＭ１は、右側台材３Ｒの先端部位６Ｒに右足ＦＲの先端部位の各指が位置した場合に、右側台材３Ｒの後端部位７Ｒには右足ＦＲの中足部付近（土踏まず部位）が位置するように設定される。なお、右側台材３Ｒの形状においては、厚さＴ１、幅Ｗ１、長さＭ１が所望により変更可能である。
図３、図４（Ｂ）に示すように、左側台材３Ｌは、左足ＦＬの足裏の前側半分程度の外郭に倣った形状であって、長手方向Ｘにおいて先端部位６Ｌと後端部位７Ｌとを備え、厚さＴ１、短手方向Ｙが幅Ｗ１、長手方向Ｘが長さＭ１に形成される。左側台材３Ｌの長手方向Ｘの長さＭ１は、左側台材３Ｌの先端部位６Ｌに左足ＦＬの先端部位の各指が位置した場合に、左側台材３Ｌの後端部位７Ｌには左足ＦＬの中足部付近（土踏まず部位）が位置するように設定される。なお、左側台材３Ｌの形状においては、厚さＴ１、幅Ｗ１、長さＭ１が所望により変更可能である。
【００１２】
図４（Ａ）に示すように、右側台材３Ｒの先端部位６Ｒには、前側孔８Ｒが形成される。前側孔８Ｒは、右側台材３Ｒの中心線Ｃに対して距離Ｄ１だけ内方（右足ＦＲの親指側）へ配置される。また、右側台材３Ｒの後端部位７Ｒで短手方向Ｙの両側縁部位には、内方後側孔９Ｒ−１・外方後側孔９Ｒ−２が所定の間隔で離間して形成される。内方後側孔９Ｒ−１・外方後側孔９Ｒ−２は、右側台材３Ｒの中心線Ｃに対して略対称な位置に形成される。
図４（Ｂ）に示すように、左側台材３Ｌの先端部位６Ｌには、前側孔８Ｌが形成される。前側孔８Ｌは、左側台材３Ｌの中心線Ｃに対して距離Ｄ１だけ内方（左足ＦＬの親指側）へ配置される。また、左側台材３Ｌの後端部位７Ｌで短手方向Ｙの両側縁部位には、内方後側孔９Ｌ−１・外方後側孔９Ｌ−２が所定の間隔で離間して形成される。内方後側孔９Ｌ−１・外方後側孔９Ｌ−２は、左側台材３Ｌの中心線Ｃに対して略対称な位置に形成される。
【００１３】
図１、図１１に示すように、右側刺激部材４Ｒは、少なくとも右足ＦＲの甲部ＧＲの足根中足関節（リスフラン関節）ＫＲを刺激するように、長手方向Ｘで右側台材３Ｒの先端部位６Ｒから後端部位７Ｒにかけて配置される。
図１に示すように、右側刺激部材４Ｒは、一対の紐状体として、内方鼻緒１０Ｒ−１と外方鼻緒１０Ｒ−２とから構成される。
図２、図５（Ａ）、図５（Ｂ）に示すように、内方鼻緒１０Ｒ−１は、一端部である前端部１１Ｒ−１と他端部である後端部１２Ｒ−１とを備え、例えば、厚さＴ２、幅Ｗ２、長さＭ２で、断面四角形状に形成される。なお、内方鼻緒１０Ｒ−１の形状においては、厚さＴ２と幅Ｗ２と長さＭ２とを所望により変更可能である。
図２、図６（Ａ）、図６（Ｂ）に示すように、外方鼻緒１０Ｒ−２は、一端部である前端部１１Ｒ−２と他端部である後端部１２Ｒ−２とを備え、例えば、厚さＴ２、幅Ｗ２、長さＭ３で、断面四角形状に形成される。なお、外方鼻緒１０Ｒ−２の形状においては、厚さＴ２、幅Ｗ２、長さＭ３が所望により変更可能である。
【００１４】
図１、図２、図４（Ａ）に示すように、右側刺激部材４Ｒにおいて、内方鼻緒１０Ｒ−１の前端部１１Ｒ−１・外方鼻緒１０Ｒ−２の前端部１１Ｒ−２は、右側台材３Ｒの先端部位６Ｒの前側孔８Ｒに表面側から裏面側へ密着して挿通され、且つ右側台材３Ｒの裏面に接合するように対称的に短手方向Ｙで中心線Ｃから離れるように折り曲げられ、且つ接着剤等の所要の固定手段で固定される。この場合、内方鼻緒１０Ｒ−１の前端部１１Ｒ−１・外方鼻緒１０Ｒ−２の前端部１１Ｒ−２は、右側台材３Ｒの前側孔８Ｒから上方へ所定の高さＨ１で立ち上がる右側指嵌装部１３Ｒを形成して配置される。右側指嵌装部１３Ｒには、右足ＦＲの親指と人差指との間が嵌装される。
内方鼻緒１０Ｒ−１・外方鼻緒１０Ｒ−２は、平面視で右側指嵌装部１３Ｒから分岐するようなＶ字形状で、右側台材３Ｒの長手方向Ｘの後方で且つ短手方向Ｙへ斜めに延びるように配置され、右足ＦＲの甲部ＧＲを挿入させるための空間Ｓ１を形成する。
内方鼻緒１０Ｒ−１の後端部１１Ｒ−１・外方鼻緒１０Ｒ−２の後端部１１Ｒ−２は、内方後側孔９Ｒ−１・外方後側孔９Ｒ−２に表面側から裏面側へ挿通され、且つ右側台材３Ｒの後端部位７Ｒの裏面で中心側に折り曲げられる。
【００１５】
図１、図１１に示すように、左側刺激部材４Ｌは、少なくとも左足ＦＬの甲部ＧＬの足根中足関節（リスフラン関節）ＫＬを刺激するように、長手方向Ｘで左側台材３Ｌの先端部位６Ｌから後端部位７Ｌにかけて配置される。
図１に示すように、左側刺激部材４Ｌは、一対の紐状体として、内方鼻緒１０Ｌ−１と外方鼻緒１０Ｌ−２とから構成される。
図３、図８（Ａ）、図８（Ｂ）に示すように、内方鼻緒１０Ｌ−１は、一端部である前端部１１Ｌ−１と他端部である後端部１２Ｌ−１とを備え、例えば、厚さＴ２、幅Ｗ２、長さＭ２で、断面四角形状に形成される。なお、内方鼻緒１０Ｌ−１の形状においては、厚さＴ２と幅Ｗ２と長さＭ２とを所望により変更可能である。
図３、図９（Ａ）、図９（Ｂ）に示すように、外方鼻緒１０Ｌ−２は、一端部である前端部１１Ｌ−２と他端部である後端部１２Ｌ−２とを備え、例えば、厚さＴ２、幅Ｗ２、長さＭ３で、断面四角形状に形成される。なお、外方鼻緒１０Ｌ−２の形状においては、厚さＴ２、幅Ｗ２、長さＭ３が所望により変更可能である。
【００１６】
図１、図３、図４（Ｂ）に示すように、左側刺激部材４Ｌにおいて、内方鼻緒１０Ｌ−１の前端部１１Ｌ−１・外方鼻緒１０Ｌ−２の前端部１１Ｌ−２は、左側台材３Ｌの先端部位６Ｌの前側孔８Ｌに表面側から裏面側へ密着して挿通され、且つ左側台材３Ｌの裏面に接合するように対称的に短手方向Ｙで中心線Ｃから離れるように折り曲げられ、且つ接着剤等の所要の固定手段で固定される。この場合、内方鼻緒１０Ｌ−１の前端部１１Ｌ−１・外方鼻緒１０Ｌ−２の前端部１１Ｌ−２は、左側台材３Ｌの前側孔８Ｌから上方へ所定の高さＨ１で立ち上がる左側指嵌装部１３Ｌを形成して配置される。左側指嵌装部１３Ｌには、左足ＦＬの親指と人差指との間が嵌装される。
内方鼻緒１０Ｌ−１・外方鼻緒１０Ｌ−２は、平面視で左側指嵌装部１３Ｌから分岐するようなＶ字形状で、左側台材３Ｌの後方で且つ短手方向Ｙへ斜めに延びるように配置され、左足ＦＬの甲部ＧＬを挿入させる空間Ｓ１を形成する。
内方鼻緒１０Ｌ−１の後端部１２Ｌ−１・外方鼻緒１０Ｌ−２の後端部１２Ｌ−２は、内方後側孔９Ｌ−１・外方後側孔９Ｌ−２に表面側から裏面側へ挿通され、左側台材３Ｌの後端部位７Ｌの裏面で中心側に折り曲げられる。
【００１７】
図５（Ａ）、図５（Ｂ）に示すように、右側刺激部材４Ｒにおいて、内方鼻緒１０Ｒ−１の後端部１２Ｒ−１の表面には、所定の長さＮの内方固着面部（面ファスナー）１４Ｒ−１が取り付けられる。また、右側刺激部材４Ｒにおいて、図６（Ａ）、図６（Ｂ）に示すように、外方鼻緒１０Ｒ−２の後端部１２Ｒ−２の裏面には、内方固着面部１４Ｒ−１に重なり合って密着可能な所定の長さＮの外方固着面部（面ファスナー）１４Ｒ−２が取り付けられる。
内方固着面部１４Ｒ−１と外方固着面部１４Ｒ−２とは、右側台材３Ｒの後端部位７Ｒの裏面で互いに所定の長さで重合可能であって、且つ着脱可能なものである。
図２に示すように、内方固着面部１４Ｒ−１と外方固着面部１４Ｒ−２とが互いに重なり合って密着した状態において、内方鼻緒１０Ｒ−１の後端部１２Ｒ−１・外方鼻緒１０Ｒ−２の後端部１４Ｒ−２は、右側台材３Ｒの後端部位７Ｒの裏面で短手方向Ｙの両側部位に固定される。
図２に示すように、右足ＦＲの土踏まず部位の右側台材３Ｒの後端部位７Ｒの裏面では、内方鼻緒１０Ｒ−１の後端部１２Ｒ−１と外方鼻緒１０Ｒ−２の後端部１２Ｒ−２が重なり合うことにより、所定の厚さＴ３の右側重合部１５Ｒが形成される。従って、右側重合部１５Ｒは、他の部分よりも大きな所定の厚さＴ３を備えることにより、右足ＦＲの土踏まず部位のマッサージを行う機能を有する。
なお、内方固着面部１４Ｒ−１・外方固着面部１４Ｒ−２の重合部位の長さを変更することにより、右足ＦＲへの装着の際に、右足ＦＲの甲部ＧＲの大きさに応じて内方鼻緒１０Ｒ−１・外方鼻緒１０Ｒ−２の長さが変更可能となる。
【００１８】
図８（Ａ）、図８（Ｂ）に示すように、左側刺激部材４Ｌにおいて、内方鼻緒１０Ｌ−１の後端部１２Ｌ−１の表面には、所定の長さＮの内方固着面部（面ファスナー）１４Ｌ−１が取り付けられる。また、左側刺激部材４Ｌにおいて、図９（Ａ）、図９（Ｂ）に示すように、外方鼻緒１０Ｌ−２の後端部１２Ｌ−２の裏面には、内方固着面部１４Ｌ−１が重なり合って固着可能な所定の長さＮの外方固着面部（面ファスナー）１４Ｌ−２が取り付けられる。
内方固着面部１４Ｌ−１と外方固着面部１４Ｌ−２とは、左側台材３Ｌの後端部位７Ｌの裏面で互いに所定の長さで重合可能であって、且つ着脱可能なものである。
図３に示すように、内方固着面部１４Ｌ−１と外方固着面部１４Ｌ−２とが互いに重なり合って密着した状態において、内方鼻緒１０Ｌ−１の後端部１２Ｌ−１・外方鼻緒１０Ｌ−２の後端部１２Ｌ−２は、左側台材３Ｌの後端部位７Ｌの裏面で短手方向Ｙの両側部位に固定される。
図３に示すように、左足ＦＬの土踏まず部位の左側台材３Ｌの後端部位７Ｌの裏面では、内方鼻緒１０Ｌ−１の後端部１２Ｌ−１・外方鼻緒１０Ｌ−２の後端部１２Ｌ−２が重なり合うことにより、所定の厚さＴ３の左側重合部１５Ｌが形成される。従って、左側重合部１５Ｌは、他の部分よりも大きな所定の厚さＴ３を備えることにより、左足ＦＬの土踏まず部位のマッサージを行う機能を有する。
なお、内方固着面部１４Ｌ−１・外方固着面部１４Ｌ−２の重合部位の長さを変更することにより、左足ＦＬへの装着の際に、左足ＦＬの甲部ＧＬの大きさに応じて内方鼻緒１０Ｌ−１・外方鼻緒１０Ｌ−２の長さが変更可能となる。
【００１９】
図１１に示すように、右側支持ベルト５Ｒは、短手方向Ｙで右足ＦＲの甲部ＧＲの上面に配置され、右側台材３Ｒを右足ＦＲの足裏に密着させる機能や、横足根関節（ショパール関節）ＳＲを刺激する機能を有する。
図２、図７（Ａ）、図７（Ｂ）に示すように、右側支持ベルト５Ｒは、上記の各鼻緒と同様な紐状体として形成され、中央部１７Ｒと一端部１８Ｒと他端部１９Ｒとを備え、例えば、厚さＴ２、幅Ｗ２、長さＭ４で、断面四角形状に形成される。なお、右側支持ベルト５Ｒの形状においては、厚さＴ２と幅Ｗ２と長さＭ４とを所望により変更可能である。
図１、図２に示すように、右側支持ベルト５Ｒは、中央部１７Ｒが右側台材３Ｒの後端部位７Ｒの裏面で短手方向Ｙに向かって接着剤等の所要の固定手段によって固定される。右側支持ベルト５Ｒの中央部１７Ｒは、内方鼻緒１０Ｒ−１の後端部１１Ｒ−１・外方鼻緒１０Ｒ−２の後端部１２Ｒ−２の右側重合部１５Ｒよりも前方で隣接して配置される。
図２に示すように、右側支持ベルト５Ｒの一端部１８Ｒ・他端部１９Ｒは、右側台材３Ｒの後端部位７Ｒで短手方向Ｙの両側方から上方に配置され、且つ互いに重なり合うような長さに形成される。
【００２０】
図２、図７（Ａ）、図７（Ｂ）に示すように、右側支持ベルト５Ｒの一端部１８Ｒの裏面には、所定の長さＮの一端固着面部（面ファスナー）２０Ｒ−１が取り付けられる。また、右側支持ベルト５Ｒの他端部１９Ｒの表面には、一端固着面部２０Ｒ−１に重なり合って固着可能な所定の長さＮの他端固着面部（面ファスナー）２０Ｒ−２が取り付けられる。
一端固着面部２０Ｒ−１と他端固着面部２０Ｒ−２とは、右側台材３Ｒの後端部位７Ｒの上方で互いに所定の長さで重合可能であって、且つ着脱可能なものである。
一端固着面部２０Ｒ−１と他端固着面部２０Ｒ−２とが互いに重なり合って密着して右足ＦＲの甲部ＧＲの上方で締め付けられた状態では、右足ＦＲの足裏に右側台材３Ｒの後端部位７Ｒが接した状態となる。
なお、一端固着面部２０Ｒ−１と他端固着面部２０Ｒ−２との重なり合う長さを変更することにより、右足ＦＲの甲部ＧＲの大きさに応じて右側支持ベルト５Ｒの長さが変更可能となる。
図２に示すように、右側支持ベルト５Ｒは、右足ＦＲを挿入可能な空間Ｓ１の輪状を形成して所定の高さＨ２に配置され、内方鼻緒１０Ｒ−１の前端部１１Ｒ−１・外方鼻緒１０Ｒ−２の前端部１１Ｒ−２に右足ＦＲの親指と人差指との間が嵌装した際に、右足ＦＲの足裏に右側台材３Ｒを密着させ、内方鼻緒１０Ｒ−１・外方鼻緒１０Ｒ−２による右足ＦＲの甲部ＧＲの足根中足関節（リスフラン関節）ＫＬの刺激を効率良く補助する機能を有する。
また、右足ＦＲの右側支持ベルト５Ｒは、右足ＦＲの甲部ＧＲの上面で締め付けられることにより、右足ＦＲの横足根関節（ショパール関節）ＳＲのマッサージを行う機能を有する。
【００２１】
図１１に示すように、左側支持ベルト５Ｌは、短手方向Ｙで左足ＦＬの甲部ＧＬの上面に配置され、左側台材３Ｌを左足ＦＬの足裏に密着させる機能を有する。
図３、図１０（Ａ）、図１０（Ｂ）に示すように、左側支持ベルト５Ｌは、上記の各鼻緒と同様な紐状体として形成され、中央部１７Ｌと一端部１８Ｌと他端部１９Ｌとを備え、例えば、厚さＴ２、幅Ｗ２、長さＭ４で、断面四角形状に形成される。なお、なお、左側支持ベルト５Ｌの形状においては、厚さＴ２と幅Ｗ２と長さＭ４とを所望により変更可能である。
図１、図３に示すように、左側支持ベルト５Ｌは、中央部１７Ｌが左側台材３Ｌの後端部位７Ｌの裏面で短手方向Ｙに向かって接着剤等の所要の固定手段によって固定される。左側支持ベルト５Ｌの中央部１７Ｌは、内方鼻緒１０Ｌ−１の後端部１２Ｌ−１・外方鼻緒１０Ｌ−２の後端部１２Ｌ−２の左側重合部１５Ｌよりも前方で隣接して配置される。
図３に示すように、左側支持ベルト５Ｌの一端部１８Ｌ・他端部１９Ｌは、左側台材３Ｌの後端部位７Ｌで短手方向Ｙの両側方から上方に配置され、且つ互いに重なり合うような長さに形成される。
【００２２】
図３、図１０（Ａ）、図１０（Ｂ）に示すように、左側支持ベルト５Ｌの一端部１８Ｌの表面には、所定の長さＮの一端固着面部２０Ｌ−１が取り付けられる。また、左側支持ベルト５Ｌの他端部１９Ｌの裏面には、一端固着面部２０Ｌ−１に重なり合って固着可能で所定の長さＮの他端固着面部２０Ｌ−２が取り付けられる。
一端固着面部２０Ｌ−１と他端固着面部２０Ｌ−２とは、左側台材３Ｌの後端部位７Ｌの上方で互いに所定の長さで重合可能であって、且つ着脱可能なものである。
一端固着面部２０Ｌ−１と他端固着面部２０Ｌ−２とが互いに重なり合って密着して左足ＦＬの甲部ＧＬの上方で締め付けられた状態では、左足ＦＬの足裏に左側台材３Ｌの後端部位７Ｌが接した状態となる。
なお、一端側固着面部２０Ｌ−１と他端固着面部２０Ｌ−２との重なり合う長さを変更することにより、左足ＦＬの甲部ＧＬの大きさに応じて左側支持ベルト５Ｌの長さが変更可能となる。
図３に示すように、左側支持ベルト５Ｌは、左足ＦＬを挿入可能な空間Ｓ１の輪状を形成して所定の高さＨ２に配置され、内方鼻緒１０Ｌ−１の前端部１１Ｌ−１・外方鼻緒１０Ｌ−２の前端部１１Ｌ−２に左足ＦＬの親指と人差指との間が嵌装した際に、左足ＦＬの足裏に左側台材３Ｌを密着させ、内方鼻緒１０Ｌ−１・外方鼻緒１０Ｌ−２による左足ＦＬの甲部ＧＬの足根中足関節（リスフラン関節）ＫＬの刺激を効率良く補助する機能を有する。
また、左側支持ベルト５Ｌは、左足ＦＬの甲部ＧＬの上面で締め付けられることにより、左足ＦＬの横足根関節（ショパール関節）ＳＬのマッサージを行う機能を有する。
【００２３】
次に、この実施例１に係る健康用具１の使用状態について説明する。
図１１に示すように、右足ＦＲ・左足ＦＬに健康用具１の右側本体２Ｒ・左側本体２Ｌを装着すると、平面視において右足ＦＲ・左足ＦＬによって右側本体２Ｒ・左側本体２Ｌが略見えなくなり、右側刺激部材４Ｒ・左側刺激部材４Ｌが右足ＦＲ・左足ＦＬの足根中足関節（リスフラン関節）ＫＲ・ＫＬに当接して足根中足関節ＫＲ・ＫＬ刺激し、つまり、右側刺激部材４Ｒでは平面視でＶ字形状の内方鼻緒１０Ｒ−１と外方鼻緒１０Ｒ−２とが右足ＦＲの足根中足関節ＫＲを締め付けるようにして刺激するとともに、左側刺激部材４Ｌでは平面視でＶ字形状の内方鼻緒１０Ｌ−１と外方鼻緒１０Ｌ−２とが左足ＦＬの足根中足関節ＫＬを締め付けるようにして刺激する。
そして、右足ＦＲ・左足ＦＬに健康用具１の右側本体２Ｒ・左側本体２Ｌを装着した状態で歩くことにより、右側刺激部材４Ｒ・左側刺激部材４Ｌが右足ＦＲ・左足ＦＬの足根中足関節ＫＲ・ＫＬに繰り返し強く当接し、足根中足関節ＫＲ・ＫＬがさらに強く刺激される。
また、右足ＦＲ・左足ＦＬに健康用具１の右側本体２Ｒ・左側本体２Ｌを装着している状態から右側靴下２１Ｒ・左側靴下２１Ｌをはくすることにより、右側刺激部材４Ｒ・左側刺激部材４Ｌが右足ＦＲ・左足ＦＬの足根中足関節ＫＲ・ＫＬに強く密着され、足根中足関節ＫＲ・ＫＬがさらに強く刺激される。また、このとき、右足ＦＲの甲部ＧＲの上面において右側支持ベルト５Ｒの一端部１８Ｒと他端部１９Ｒとの重なった部分（固着部分）が右側靴下２１Ｒで締め付けられることから、右足ＦＲの横足根関節（ショパール関節）ＳＲが強く刺激され、また、左足ＦＬの甲部ＧＬの上面において左側支持ベルト５Ｌの一端部１８Ｌと他端部１９Ｌとの重なった部分（固着部分）が左側靴下２１Ｌで締め付けられることから、左足ＦＬの横足根関節（ショパール関節）ＳＬが強く刺激され、右足ＦＲ・左足ＦＬの横足根関節ＳＲ・ＳＬを効果的にマッサージする。
なお、右足ＦＲ・左足ＦＬに右側靴下２１Ｒ・左側靴下２１Ｌを装着した後に、右側本体２Ｒ・左側本体２Ｌを右足ＦＲ・左足ＦＬに装着することも可能である。
また、健康用具１の使用の態様においては、所望により、右側本体２Ｒと左側本体２Ｌとのいずれか一方のみを用いることも可能である。
【００２４】
この結果、この実施例１においては、少なくとも右側刺激部材４Ｒ・左側刺激部材４Ｌが右足ＦＲ・左足ＦＬの足根中足関節ＫＲ・ＫＬを刺激し、足根中足関節ＫＲ・ＫＬがマッサージされることから、これにより、姿勢を矯正したり、足の疲労感取り除くことができ、さらに、外反母趾や浮き指の予防・改善を図ることができる。
【実施例２】
【００２５】
図１２は、この発明の実施例２を示すものである。
以下の実施例においては、上述の実施例１と同一機能を果たす箇所には同一符号を付して説明する。
この実施例２の特徴とするところは、以下の点にある。即ち、健康用具１は、左右の足で兼用可能な一つの本体２からなる。健康用具１は、本体２の台材３の長手方向Ｘに延びる中心線Ｃに対して短手方向Ｙで対称に構成される。
台材３の先端部位６の前側孔８は、台材３の中心線Ｃ上に配置される。台材３の後端部位７の一方後側孔９−１・他方後側孔９−２は、台材３の中心線Ｃに対して短手方向Ｙで対称な位置に形成される。
台材３に取り付けられる刺激部材４を構成する一側鼻緒１０−１・他側鼻緒１０−２は、同一形状に形成される。
一側鼻緒１０−１・他側鼻緒１０−２の前端部１１−１・１１−２は、前側孔８に挿通され、指嵌装部１３を形成する。一側鼻緒１０−１・他側鼻緒１０−２の後端部１２−１・１２−２は、一方後側孔９−１・他方後側孔９−２に挿通される。
また、台材３には、支持ベルト５が取り付けられる。
なお、健康用具１においては、上記の実施例１の構造と同様なので、ここでは、その詳細な部分の説明を省略する。
このような構造により、健康用具１においては、左右の足で台材３や鼻緒を兼用して使用することが可能となり、また、台材３の表面と裏面とを反転させて使用が可能となり、左右の足毎に異なる形状の台材や鼻緒を揃える必要がなくなり、製造時に一種の型の台材３や鼻緒のみで良く、製造を簡便とし、また、製造コストを低減し、さらに、その取り扱いを容易にすることができる。
【実施例３】
【００２６】
図１３は、この発明の実施例３を示すものである。
この実施例３の特徴とするところは、以下の点にある。即ち、健康用具１は、図１３に示すように、右側本体２Ｒについて言及して説明すると、右側本体２Ｒは、右側台材が省略されて右側刺激部材４Ｒの内方鼻緒１０Ｒ−１・外方鼻緒１０Ｒ−２のみで構成される。なお、左側本体２Ｌの左側刺激部材４Ｌについては、その説明を省略する。
この場合に、内方鼻緒１０Ｒ−１・外方鼻緒１０Ｒ−２を右足ＦＲに装着した後に、右側靴下２１Ｒをはくことにより、足根中足関節（リスフラン関節）をさらに刺激するとともに、内方鼻緒１０Ｒ−１・外方鼻緒１０Ｒ−２が脱落するのを防止することができる。
この実施例３の構造によれば、健康用具１が刺激部材だけで構成されるので、健康用具１の部品点数を低減し、廉価とすることができる。
【実施例４】
【００２７】
図１４は、この発明の実施例４を示すものである。
この実施例４の特徴とするところは、以下の点にある。即ち、健康用具１において、図１４に示すように、右側本体２Ｒについて言及して説明すると、右側刺激部材４Ｒの内方鼻緒１０Ｒ−１・外方鼻緒１０Ｒ−２を右側靴下２１Ｒに予め一体的に組み込んだ構造とする。なお、左側本体２Ｌの左側刺激部材４Ｌについては、その説明を省略する。
この実施例４の構造によれば、右側刺激部材４Ｒの内方鼻緒１０Ｒ−１・外方鼻緒１０Ｒ−２が右側靴下２１Ｒに予め組み込まれていることから、その取り扱いが簡便となる。
なお、右側刺激部材４Ｒの内方鼻緒１０Ｒ−１・外方鼻緒１０Ｒ−２を、右側靴下２１Ｒに限らず、足袋や靴などの他の履き物に組み込むことも可能である。
【実施例５】
【００２８】
図１５は、この発明の実施例５を示すものである。
この実施例５の特徴とするところは、以下の点にある。即ち、健康用具１において、図１５に示すように、右側本体２Ｒについて言及して説明すると、右側台材３Ｒの先端部位６Ｒの前側孔８Ｒは、右側台材３Ｒの中心線Ｃに対して所要の距離Ｄ２だけ外方（親指側とは反対の方向）の小指側に形成される。前側孔８Ｒの位置は、右側台材３Ｒの中心線Ｃに対して外方であれば、任意な箇所に設定が可能である。なお、左側本体２Ｒの前側孔８Ｌについては、その説明を省略する。
この実施例５の構造によれば、足の親指と人差指との間以外の指の間（例えば、薬指と小指との間など）を指嵌装部に嵌装させ、通常刺激されない他の箇所を刺激することが可能である。
【００２９】
なお、この発明においては、刺激部材や支持ベルトの裏面には、所要の関節等を局所的に強く刺激する押圧突起等を設けることも可能である。
【産業上の利用可能性】
【００３０】
この発明に係る健康用具を、人体の足以外の他の部分にも適用可能である。
【符号の説明】
【００３１】
１  健康用具
２Ｒ  右側本体
２Ｌ  左側本体
３Ｒ  右側台材
３Ｌ  左側台材
４Ｒ  右側刺激部材
４Ｌ  左側刺激部材
５Ｒ  右側支持ベルト
５Ｌ  左側支持ベルト
６Ｒ  右側台材の先端部位
６Ｌ  左側台材の先端部位
７Ｒ  右側台材の後端部位
７Ｌ  左側台材の後端部位
８Ｒ  右側台材の前側孔
８Ｌ  左側台材の前側孔
９Ｒ−１  右側台材の内方後側孔
９Ｒ−２  右側台材の外方後側孔
９Ｌ−１  左側台材の内方後側孔
９Ｌ−２  左側台材の外方後側孔
１０Ｒ−１  右側刺激部材の内方鼻緒
１０Ｒ−２  右側刺激部材の外方鼻緒
１０Ｌ−１  左側刺激部材の内方鼻緒
１０Ｌ−２  左側刺激部材の外方鼻緒
１３Ｒ  右側指嵌装部
１３Ｌ  左側指嵌装部
１４Ｒ−１  右側刺激部材の内方鼻緒の内方固着面部
１４Ｒ−２  右側刺激部材の外方鼻緒の外方固着面部
１４Ｌ−１  左側刺激部材の内方鼻緒の内方固着面部
１４Ｌ−２  左側刺激部材の外方鼻緒の外方固着面部
１５Ｒ  右側重合部
１５Ｌ  左側重合部
２０Ｒ−１  右側支持ベルトの一端固着面部
２０Ｒ−２  右側支持ベルトの他端固着面部
２０Ｌ−１  左側支持ベルトの一端固着面部
２０Ｌ−２  左側支持ベルトの他端固着面部
２１Ｒ  右側靴下
２１Ｌ  左側靴下
【図１】
2017221482.tif 000003
【図２】
2017221482.tif 000004
【図３】
2017221482.tif 000005
【図４】
2017221482.tif 000006
【図５】
2017221482.tif 000007
【図６】
2017221482.tif 000008
【図７】
2017221482.tif 000009
【図８】
2017221482.tif 000010
【図９】
2017221482.tif 000011
【図１０】
2017221482.tif 000012
【図１１】
2017221482.tif 000013
【図１２】
2017221482.tif 000014
【図１３】
2017221482.tif 000015
【図１４】
2017221482.tif 000016
【図１５】
2017221482.tif 000017